(57)【要約】      （修正有）【課題】部品点数が少なく、柱を基礎に簡単かつ安価に固定することが可能な柱の固定構造を提供する。【解決手段】軸方向に対して直交する貫通孔を有するパイプ柱１４は、基礎１０に立設するように埋め込んだ構造であり、パイプ柱１４に、柱２０の端部に設けた柱軸方向に一定部分までくり貫いて挿入穴２０ａを挿入して柱を立上げ、柱２０の端部に、ドリフトピン３０を柱軸方向と直交する方向からパイプ柱１４の貫通孔１４ａを貫通させて打ち込み、ドリフトピン３０を柱２０の端部に定着させ、基礎１０に、柱２０を着脱可能に固定した構成である。【選択図】図２
0003228296.tif 000002
【実用新案登録請求の範囲】
【請求項１】
軸方向に対して直交する貫通孔を有するパイプ柱は、基礎に立設するように埋め込んだ構造であり、
前記パイプ柱に、柱の端部に設けた柱軸方向に一定部分までくり貫いて挿入穴を挿入して柱を立上げ、
前記柱の端部に、ドリフトピンを柱軸方向と直交する方向から前記パイプ柱の貫通孔を貫通させて打ち込み、
前記ドリフトピンを前記柱の端部に定着させ、
前記基礎に、前記柱を着脱可能に固定した構成であることを特徴する柱の固定構造。
【請求項２】
前記基礎は、
基礎砕石と、
前記基礎砕石上に設けたベースモルタルと、
前記ベースモルタル上に設けた基礎ブロックと、を含む構成であり、
前記基礎ブロックに、前記パイプ柱を前記モルタルから立設するように埋め込む構成であることを特徴とする請求項１に記載の柱の固定構造。
【請求項３】
基礎に、柱を着脱可能に固定した構成である請求項１及び請求項２に記載の柱の固定構造を含み、
前記基礎の複数個所において、前記柱を着脱可能に固定した構成であり、
前記複数の柱と柱とに、板を横方向にして組み付け、
前記複数の柱と、前記組み付けた板とにより塀を構築したことを特徴とする塀構造物。
【考案の詳細な説明】
【技術分野】
【０００１】
この考案は、基礎に、柱を着脱可能に固定する柱の固定構造及び塀構造物に関する。
【背景技術】
【０００２】
従来、基礎に柱を固定するものとして、例えば、基礎には土台が載置固定され、この基礎にアンカーボルトが埋設されており、このアンカーボルトに補強金具が固定され、この補強金具により柱を固定するものがある（特許文献１）。
【先行技術文献】
【特許文献】
【０００３】
【特許文献１】特開２００３−２４７２７７号公報
【考案の概要】
【考案が解決しようとする課題】
【０００４】
ところで、従来のものは、アンカーボルトと補強金具を必要とし、部品点数が嵩む。また、アンカーボルトと補強金具を取り付ける構造が複雑であり、柱を基礎に簡単かつ安価に固定できない課題がある。
【０００５】
この考案は、このような従来の問題点を解消するためになされたもので、その目的とするところは、部品点数が少なく、柱を基礎に簡単かつ安価に固定することが可能な柱の固定構造及び塀構造物を提供することにある。
【課題を解決するための手段】
【０００６】
前記課題を解決し、かつ目的を達成するために、この考案は、以下のように構成した。
【０００７】
請求項１に記載の考案は、軸方向に対して直交する貫通孔を有するパイプ柱は、基礎に立設するように埋め込んだ構造であり、
前記パイプ柱に、柱の端部に設けた柱軸方向に一定部分までくり貫いて挿入穴を挿入して柱を立上げ、
前記柱の端部に、ドリフトピンを柱軸方向と直交する方向から前記パイプ柱の貫通孔を貫通させて打ち込み、
前記ドリフトピンを前記柱の端部に定着させ、
前記基礎に、前記柱を着脱可能に固定した構成であることを特徴する柱の固定構造である。
【０００８】
請求項２に記載の考案は、前記基礎は、
基礎砕石と、
前記基礎砕石上に設けたベースモルタルと、
前記ベースモルタル上に設けた基礎ブロックと、を含む構成であり、
前記基礎ブロックに、前記パイプ柱を前記モルタルから立設するように埋め込む構成であることを特徴とする請求項１に記載の柱の固定構造である。
【０００９】
請求項３に記載の考案は、基礎に、柱を着脱可能に固定した構成である請求項１及び請求項２に記載の柱の固定構造を含み、
前記基礎の複数個所において、前記柱を着脱可能に固定した構成であり、
前記複数の柱と柱とに、板を横方向にして組み付け、
前記複数の柱と、前記組み付けた板とにより塀を構築したことを特徴とする塀構造物である。
【考案の効果】
【００１０】
前記構成により、この考案は、以下のような効果を有する。
【００１１】
請求項１乃至請求項３に記載の考案では、軸方向に対して直交する貫通孔を有するパイプ柱を、基礎に立設するように埋め込み、柱の端部を、柱軸方向に一定部分までくり貫いて挿入穴を設け、パイプ柱に、柱の端部の挿入穴を挿入して柱立上げ、柱の端部に、ドリフトピンを柱軸方向と直交する方向からパイプ柱の貫通孔を貫通させて打ち込み、ドリフトピンを柱の端部に定着させ、部品点数が少なく、柱を基礎に簡単かつ安価に固定することが可能で、かつドリフトピンを外すことで簡単に柱を交換することができる。
【図面の簡単な説明】
【００１２】
【図１】柱の固定方法の工程を示す図である。
【図２】柱の固定方法の工程の構成を示す図である。
【図３】図２のＩＩＩ−ＩＩＩ線に沿う断面図である。
【図４】柱の固定構造を示す図である。
【考案を実施するための形態】
【００１３】
以下、この考案の柱の固定構造及び塀構造物の実施の形態について説明する。この考案の実施の形態は、考案の最も好ましい形態を示すものであり、この考案はこれに限定されない。
【００１４】
（柱の固定方法）
この実施の形態の柱の固定方法を、図１乃至図３に基づいて説明する。図１は柱の固定方法の工程を示す図、図２は柱の固定方法の工程の構成を示す図、図３は図２のＩＩＩ−ＩＩＩ線に沿う断面図である。
【００１５】
この実施の形態の柱の固定方法は、基礎に、柱を着脱可能に固定する柱の固定方法であって、パイプ柱立設工程Ａと、柱加工工程Ｂと、柱立上げ工程Ｃと、柱定着工程Ｄと、を含む。
【００１６】
パイプ柱立設工程Ａにおいて、基礎１０は、基礎砕石１１と、ベースモルタル１２と、基礎ブロック１３とにより構成されている。基礎１０を構成する基礎ブロック１３には、パイプ柱１４をモルタル１５により立設するように埋め込む。パイプ柱１４は、軸方向に対して直交する貫通孔１４ａを有する。
【００１７】
この実施の形態では、パイプ柱１４に貫通孔１４ａが、２カ所に設けられているが、これに限定されず、複数個所に設ける構成である。基礎ブロック１３の上面には、天端薄塗１６を塗布して仕上げる。
【００１８】
柱加工工程Ｂにおいて、丸材または角材からなる柱２０を用い、この柱２０の端部に、柱軸方向に一定部分までくり貫いて挿入穴２０ａを設ける。
【００１９】
柱立上げ工程Ｃにおいて、基礎１０に立設するパイプ柱１４に、柱２０の端部の挿入穴２０ａを挿入し、柱２０を立上げ。
【００２０】
柱定着工程Ｄにおいて、柱２０の端部に、ドリフトピン３０を柱軸方向と直交する方向からパイプ柱１４の貫通孔１４ａを貫通させて打ち込み、ドリフトピン３０を柱２０の端部に定着させる。
（柱の固定構造）
【００２１】
この実施の形態の柱の固定構造を、図４に基づいて説明する。図４は柱の固定構造を示す図である。この実施の形態の柱の固定構造は、基礎１０に、柱２０を着脱可能に固定する構造である。
【００２２】
この実施の形態の柱の固定構造において、基礎１０は、基礎砕石１１と、ベースモルタル１２と、基礎ブロック１３とにより構成されている。基礎１０を構成する基礎ブロック１３には、パイプ柱１４を立設するように埋め込み、このパイプ柱１４は、軸方向に対して直交する貫通孔１４ａを有する。
【００２３】
軸方向に対して直交する貫通孔を有するパイプ柱２０は、基礎１０に立設するように埋め込んだ構造であり、パイプ柱１４に、柱２０の端部に設けた柱軸方向に一定部分までくり貫いて挿入穴２０ａを挿入して柱２０を立上げる。
【００２４】
柱２０の端部に、ドリフトピン３０を柱軸方向と直交する方向からパイプ柱１４の貫通孔１４ａを貫通させて打ち込み、ドリフトピン３０を柱２０の端部に定着させ、基礎１０に、柱２０を着脱可能に固定した構成である。
【００２５】
この実施の形態には、基礎１０の複数個所において、柱２０を着脱可能に固定した構成である。この柱２０と柱２０には、木材の板４０を横方向にして組み付けられており、この構造により例えば、自転車置き場などの塀を構築する。
【００２６】
この実施の形態では、ドリフトピン３０を用いて、基礎１０に、柱２０を着脱可能に固定する構造であり、部品点数が少なく、柱２０を基礎１０に簡単かつ安価に固定することが可能である。そして、長期間の使用により、木材の板４０や木材の柱２０が腐食するようになると、ドリフトピン３０を外すことで簡単に柱２０を交換し、新たな柱を設けることができる。
【産業上の利用可能性】
【００２７】
この考案は、基礎に、柱を着脱可能に固定する柱の固定構造及び塀構造物に適用され、部品点数が少なく、柱を基礎に簡単かつ安価に固定することが可能である。
【符号の説明】
【００２８】
Ａ  パイプ柱立設工程
Ｂ  柱加工工程
Ｃ  柱立上げ工程
Ｄ  柱定着工程
１０  基礎
１１  基礎砕石
１２  ベースモルタル
１３  基礎ブロック
１４  パイプ柱
１４ａ  貫通孔
１５  天端薄塗
２０  柱
２０ａ  挿入穴
３０  ドリフトピン
【図１】
0003228296.tif 000003
【図２】
0003228296.tif 000004
【図３】
0003228296.tif 000005
【図４】
0003228296.tif 000006
【手続補正書】
【提出日】令和2年7月15日(2020.7.15)
【手続補正１】
【補正対象書類名】実用新案登録請求の範囲
【補正対象項目名】全文
【補正方法】変更
【補正の内容】
【実用新案登録請求の範囲】
【請求項１】
軸方向に対して直交する貫通孔を有するパイプ柱は、基礎に立設するように埋め込んだ構造であり、
前記パイプ柱に、柱の端部に設けた柱軸方向に一定部分までくり貫いて挿入穴を挿入して立上げた柱と、
前記柱の端部に、柱軸方向と直交する方向から前記パイプ柱の貫通孔を貫通させて打ち込むドリフトピンと、
を含み、
前記ドリフトピンにより、前記基礎に、前記柱を着脱可能とする構成であることを特徴する柱の固定構造。
【請求項２】
前記基礎は、
基礎砕石と、
前記基礎砕石上に設けたベースモルタルと、
前記ベースモルタル上に設けた基礎ブロックと、を含む構成であり、
前記基礎ブロックに、前記パイプ柱を前記モルタルから立設するように埋め込む構成であることを特徴とする請求項１に記載の柱の固定構造。
【請求項３】
請求項１または請求項２に記載の柱の固定構造を含み、
前記基礎の複数個所において、前記柱を着脱可能に固定した構成であり、
前記複数の柱と柱とに、板を横方向にして組み付け、
前記複数の柱と、前記組み付けた板とにより塀を構築したことを特徴とする塀構造物。
【手続補正２】
【補正対象書類名】明細書
【補正対象項目名】０００７
【補正方法】変更
【補正の内容】
【０００７】
請求項１に記載の考案は、軸方向に対して直交する貫通孔を有するパイプ柱は、基礎に立設するように埋め込んだ構造であり、
前記パイプ柱に、柱の端部に設けた柱軸方向に一定部分までくり貫いて挿入穴を挿入して立上げた柱と、
前記柱の端部に、柱軸方向と直交する方向から前記パイプ柱の貫通孔を貫通させて打ち込むドリフトピンと、
を含み、
前記ドリフトピンにより、前記基礎に、前記柱を着脱可能とする構成であることを特徴する柱の固定構造である。
【手続補正３】
【補正対象書類名】明細書
【補正対象項目名】０００９
【補正方法】変更
【補正の内容】
【０００９】
請求項３に記載の考案は、請求項１または請求項２に記載の柱の固定構造を含み、
前記基礎の複数個所において、前記柱を着脱可能に固定した構成であり、
前記複数の柱と柱とに、板を横方向にして組み付け、
前記複数の柱と、前記組み付けた板とにより塀を構築したことを特徴とする塀構造物である。